(57)【要約】【課題】  容易に受信部における赤外線の受信量が最も大きくなる角度に反射板を容易に設定可能な外構フェンス防犯装置を提供する。【解決手段】  送信部Ｓと受信部Ｊとを間隔をあけて設置すると共に送信部Ｓからの赤外線Ａを受信部Ｊに向けて反射する反射板Ｂを回転自在に設けた反射ユニットＨを設置するものである。送信部Ｓから送信されて所定角度回転する反射板Ｂにて反射された赤外線Ａあの受信部Ｊでの受信量を連続計測してその最大受信量を学習する学習手段と、前記最大受信量の学習後に送信部Ｓから送信されて回転する反射板Ｂにて反射された赤外線Ａの受信部Ｊでの受信量が最大受信量となった時に報知を行う報知手段とを備え、最大受信量を学習する際に反射板Ｂを所定角度回転する角度領域を示すための表示部Ｉを設けた。【選択図】        図１
2005141595.tif 000002
【特許請求の範囲】
【請求項１】
送信部から送信された赤外線を受信部で受信する際に侵入者により赤外線が遮られたときにこれを検知して報知を行なう外構フェンス防犯装置であって、送信部と受信部とを間隔をあけて設置すると共に送信部からの赤外線を受信部に向けて反射する反射板を回転自在に設けた反射ユニットを設置するものにおいて、送信部から送信されて所定角度回転する反射板にて反射された赤外線の受信部での受信量を連続計測してその最大受信量を学習する学習手段と、前記最大受信量の学習後に送信部から送信されて回転する反射板にて反射された赤外線の受信部での受信量が最大受信量となった時に報知を行う報知手段とを備え、最大受信量を学習する際に反射板を所定角度回転する角度領域を示すための表示部を設けて成ることを特徴とする外構フェンス防犯装置。
【請求項２】
反射板と一体に回転すると共に反射板の回転軸に沿ってスライド自在な操作軸を該反射板を回転自在に収容する外殻ケースに固定した軸受けに回転及び進退自在に螺合し、表示部として前記操作軸が挿通される挿通孔を有する表示板を形成し、表示板の挿通孔内にキーを突設すると共に操作軸の外面の周方向の一部に前記キーと係合するキー溝を形成して該表示板を操作軸及び反射板と一体に回転可能で且つ操作軸の進退方向に移動を規制した状態で配設し、最大受信量を学習する際に反射板を所定角度回転させるため操作軸を所定角度回転して螺進させた時に表示板のキーとの係合が外れるキー逃げ部を操作軸の軸方向の一部の全周に亘って設けて成ることを特徴とする請求項１記載の外構フェンス防犯装置。
【請求項３】
表示板をばね付勢して軸受けに押圧し、最大受信量を学習する際に反射板及び表示板を所定角度回転する角度領域の開始位置と終了位置においてそれぞれ嵌合する嵌合部を表示板と軸受けの当接面に設けて成ることを特徴とする請求項２記載の外構フェンス防犯装置。
【請求項４】
操作軸と一体に回転し且つ操作軸の進退方向に移動自在なノッチ板を表示板の軸受け側と反対側に対向するように設け、ノッチ板に押圧されるノッチ板受けをノッチ板の表示板側と反対側に対向するように外殻ケースに固定し、ノッチ板をノッチ板受けに押圧するとともに表示板を軸受けに押圧する圧縮ばねをノッチ板と表示板との間に介在させて成ることを特徴とする請求項３記載の外構フェンス防犯装置。
【請求項５】
ノッチ板とノッチ板受けにそれぞれ放射状の凹凸部と該凹凸部の凹部分に噛合う突部のいずれか一方といずれか他方を設けるものにおいて、隣接する突部を半径の異なる円周上に設けて成ることを特徴とする請求項４記載の外構フェンス防犯装置。
【発明の詳細な説明】
【技術分野】
【０００１】
本発明は、外構フェンス防犯装置に関し、詳しくは例えば侵入者が住宅外構フェンスを乗り越えた際に赤外線にてこれを検知して威嚇・報知等を行なう検知ユニットの構造に関するものである。
【背景技術】
【０００２】
従来、住宅外構フェンスを侵入者が乗り越えたときにこれを検知する外構フェンス防犯装置として、赤外線の送信機と受信機とを設けて検知する方法が一般的に知られている（例えば、特許文献１参照）。
【特許文献１】実開平６−６７９０８号公報
【発明の開示】
【発明が解決しようとする課題】
【０００３】
この外構フェンス防犯装置のように、送信部から送信した赤外線を受信部にて受信するものにおいては、上述したように、コーナー部等において送信部からの赤外線の角度を受信部へ向けて曲げるのであるが、送信部の受信部に対する向きが僅かに変化しただけで受信部での赤外線の受信量が敏感に変化し、また、湿度や温度、あるいは送信部及び受信部の設置環境によって受信量が異なってくる。そのため、送信部の受信部に対する向きを微調整しながら受信量が最も大きくなる状態に設定して使用するのが好ましい。しかし、送信部は支柱等に固定するものであり、送信部の向きを直接調整するのは困難であるため、赤外線の反射部を有する反射板によって送信部から送信される赤外線の送信向きを微調整して受信部での受信量が最も大きくなる状態に設定して使用するものが考えられた。
【０００４】
このものにおいては、送信部及び受信部で赤外線の送受信を行いながら反射板を回転し、その間の最大受信量となる角度に反射板を設定するのに、反射板の回転及び反転を繰り返して試行錯誤しながら設定する必要があり、手間のかかるものであった。
【０００５】
本発明は、上記の従来例の問題点に鑑みて発明したものであって、その目的とするところは、送信部から送信された赤外線を受信部で受信する際に侵入者により赤外線が遮られたときにこれを検知して報知を行なう外構フェンス防犯装置であって、送信部と受信部とを間隔をあけて設置すると共に送信部からの赤外線を受信部に向けて反射する反射板を回転自在に設けた反射ユニットを設置するものにおいて、容易に受信部における赤外線の受信量が最も大きくなる角度に反射板を容易に設定可能な外構フェンス防犯装置を提供することにある。
【課題を解決するための手段】
【０００６】
上記課題を解決するために請求項１に係る発明にあっては、送信部Ｓから送信された赤外線Ａを受信部Ｊで受信する際に侵入者により赤外線Ａが遮られたときにこれを検知して報知を行なう外構フェンス防犯装置であって、送信部Ｓと受信部Ｊとを間隔をあけて設置すると共に送信部Ｓからの赤外線Ａを受信部Ｊに向けて反射する反射板Ｂを回転自在に設けた反射ユニットＨを設置するものにおいて、送信部Ｓから送信されて所定角度回転する反射板Ｂにて反射された赤外線Ａあの受信部Ｊでの受信量を連続計測してその最大受信量を学習する学習手段と、前記最大受信量の学習後に送信部Ｓから送信されて回転する反射板Ｂにて反射された赤外線Ａの受信部Ｊでの受信量が最大受信量となった時に報知を行う報知手段とを備え、最大受信量を学習する際に反射板Ｂを所定角度回転する角度領域を示すための表示部Ｉを設けて成ることを特徴とするものである。このような構成とすることで、容易に受信部Ｊにおける赤外線Ａの受信量が最も大きくなる角度に反射板Ｂを容易に設定可能となる。
【０００７】
また、請求項２の発明は、請求項１の発明において、反射板Ｂと一体に回転すると共に反射板Ｂの回転軸に沿ってスライド自在な操作軸３を該反射板Ｂを回転自在に収容する外殻ケースに固定した軸受け４に回転及び進退自在に螺合し、表示部Ｉとして前記操作軸３が挿通される挿通孔Ｉ１を有する表示板Ｉ０を形成し、表示板Ｉ０の挿通孔Ｉ１内にキーＩ２を突設すると共に操作軸３の外面の周方向の一部に前記キーＩ２と係合するキー溝３３を形成して該表示板Ｉ０を操作軸３及び反射板Ｂと一体に回転可能で且つ操作軸３の進退方向に移動を規制した状態で配設し、最大受信量を学習する際に反射板Ｂを所定角度回転させるため操作軸３を所定角度回転して螺進させた時に表示板Ｉ０のキーＩ２との係合が外れるキー逃げ部３４を操作軸３の軸方向の一部の全周に亘って設けて成ることを特徴とするものである。このような構成とすることで、最大受信量を学習後に表示板Ｉ０が停止して最大受信量の学習が終了したことが作業者に分かる。
【０００８】
また、請求項３の発明は、請求項２の発明において、表示板Ｉ０をばね付勢して軸受け４に押圧し、最大受信量を学習する際に反射板Ｂ及び表示板Ｉ０を所定角度回転する角度領域の開始位置と終了位置においてそれぞれ嵌合する嵌合部を表示板Ｉ０と軸受け４の当接面に設けて成ることを特徴とするものである。このような構成とすることで、表示板Ｉ０が操作軸３との摩擦によって誤って動くことがない。
【０００９】
また、請求項４の発明は、請求項３の発明において、操作軸３と一体に回転し且つ操作軸３の進退方向に移動自在なノッチ板６を表示板Ｉ０の軸受け４側と反対側に対向するように設け、ノッチ板６に押圧されるノッチ板受け７をノッチ板６の表示板Ｉ０側と反対側に対向するように外殻ケースに固定し、ノッチ板６をノッチ板受け７に押圧するとともに表示板Ｉ０を軸受け４に押圧する圧縮ばね５をノッチ板６と表示板Ｉ０との間に介在させて成ることを特徴とするものである。このような構成とすることで、表示板Ｉ０とノッチ板６とを単一の圧縮ばね５にて押圧できて部品点数の削減が可能となる。
【００１０】
また、請求項５の発明は、請求項４の発明において、ノッチ板６とノッチ板受け７にそれぞれ放射状の凹凸部６３と該凹凸部６３の凹部分に噛合う突部７１のいずれか一方といずれか他方を設けるものにおいて、隣接する突部７１を半径の異なる円周上に設けて成ることを特徴とするものである。このような構成とすることで、突部７１を設けるスペースが少ない場合でも形成し易くなる。
【発明の効果】
【００１１】
本発明にあっては、送信部から送信されて所定角度回転する反射板にて反射された赤外線あの受信部での受信量を連続計測してその最大受信量を学習する学習手段と、前記最大受信量の学習後に送信部から送信されて回転する反射板にて反射された赤外線の受信部での受信量が最大受信量となった時に報知を行う報知手段とを備え、最大受信量を学習する際に反射板を所定角度回転する角度領域を示すための表示部を設けて成ることを特徴とするものである。このような構成とすることで、容易に受信部における赤外線の受信量が最も大きくなる角度に反射板を容易に設定可能となる。
【発明を実施するための最良の形態】
【００１２】
以下、本発明を添付図面に示す実施形態に基づいて説明する。
【００１３】
図２乃至図４は本実施形態の送信・受信一体型の検知ユニットを住宅外構フェンスに取り付けた場合の外構フェンス防犯装置の一例を示し、図４は検知ユニットの外観を示している。
【００１４】
本外構フェンス防犯装置は、送信部から送信された赤外線を受信部で受信する際に、フェンスを乗り越える侵入者により赤外線が遮られたときにこれを検知して威嚇・報知等を行なう方式である。なお、フェンスは図２に示すように、例えば上下複数の横桟Ｆ１１と左右複数の縦桟Ｆ１２とを組み合わせたフェンス本体Ｆ１と、フェンス本体の側面に沿って立設される複数本の支柱Ｆ２とで構成されている。各支柱はフェンス本体の側面に沿った自由な位置で施工可能となっている自由柱である。
【００１５】
上記検知ユニットＫは、図２に示すように、一側面に赤外線Ａを送信する送信部Ｓを有し且つ一側面と対向する他側面に赤外線を受信する受信部Ｊを有する送信・受信一体型となっている。ここでは上下２つの送信部及び受信部をそれぞれ備え、送信・受信共に赤外線を２本（ダブルビーム方式）とすることで、鳥などの小動物や落ち葉、外乱等による誤動作を軽減できるようになっている。
【００１６】
また、検知ユニットは、対向する一方の検知ユニットの一側面と他方の検知ユニットの他側面とが向かい合わせとなり、且つ対向する送信部と受信部とが一直線上に位置するように、図２のようにフェンスに隔設されている。なお図中のＦ３は門である。
【００１７】
検知ユニットの外郭ケースは送信ケースと受信ケースとからなる。本例では送信側と受信側との区別を明確に認識できるようにするため、送信ケースと受信ケースは左右非対象の外郭形状を有している。本例の送信ケースは、図４に示すように、その上下２箇所に赤外線を通すレンズが設けられる開口部Ｋ１が設けられていると共に、送信ケースの両側面には報知灯（図示せず）が設置されている。一方、受信ケースは、図示しないが上下２箇所に赤外線を通すレンズが設けられる開口部が設けられている。これら送信ケースと受信ケースとを背面合わせにしてビス止めすることで、両ケースは図４に示すように一体に組み立てられている。
【００１８】
ここで、図示はしないが検知ユニットの検知回路の一例について説明する。受信部側の上下２箇所に赤外線を受光するフォトトランジスタが設けられている。各フォトトランジスタの検知信号は、バンドパスフィルタ（ノイズ除去）、増幅部、コンパレータ（波形整形）を介してマイクロコンピュータに入力される。マイクロコンピュータの出力側は、ＬＥＤ駆動信号線を介して送信部２側の赤外線を放つ上下２個の発光ダイオードＬＥＤにそれぞれ接続されていると共に、別のＬＥＤ駆動信号線を介して報知灯に接続されている。報知灯は侵入者に対して威嚇等を行なうものである。つまり、侵入者によって赤外線が遮られないときは通常の送信波形、受信波形となっているが、侵入者が赤外線を遮ると受信が遮断されるため、受信波形は閾値（受信信号規定値）以下となって報知灯が点灯する。なお報知灯の点灯に加えて、音声やブザー等による警報音を鳴らしたり、或いは検出出力を検出信号伝送線又は無線等により管理者室や警備会社に伝送することも可能である。
【００１９】
また、検知ユニットは、送信部から送信されて所定角度回転する反射板Ｂにて反射された赤外線の受信部での受信量を連続計測してその最大受信量を学習する学習手段と、前記最大受信量の学習後に送信部から送信されて回転する反射板Ｂにて反射された赤外線の受信部での受信量が最大受信量となった時に報知を行う報知手段とを備えている。更に、検知ユニットの電源は、内蔵電池或いは外部電源や太陽電池を利用したものでもよい。
【００２０】
しかして、上記送信・受信一体型の検知ユニットを図３の適宜間隔Ｄ（例えば、６ｍ）をあけて配置する。このとき、対向する一方の検知ユニットの一側面と他方の検知ユニットの他側面とを向かい合わせにし且つ対向する送信部と受信部とが一直線上に位置するように配置することによって、複数個の検知ユニット相互間で送信・受信を順次繰り返すようになり、フェンス廻りを連続的に検知可能となる。しかも、１個の検知ユニットに送信機能と受信機能を持たせたので、従来のように２個１組の送信機と受信機とを並べて設置する必要がなく、低コストで且つ意匠性に優れた検知ユニットが得られるものである。さらに防犯エリアの途中に中継部を増やす場合は、フェンス廻りを検知する場合においてフェンスの支柱を中継部として利用でき、これにより侵入場所の特定がしやすくなり、しかも図２、図３に示すように１本の支柱に１個の検知ユニットを設置すればよいため、検知ユニットの数を少なくできるので、検知ユニットが目立ちにくくなり、見た目にも物々しいイメージがなくなり、侵入者以外の者に対して監視による威圧感を与えることがなくなる結果、良好な住環境イメージを維持しながら防犯効果を高めることができる。
【００２１】
次に、検知ユニットをフェンスのコーナー部Ｃに設置する場合の一例を説明する。本例では、コーナー部Ｂに設置される検知ユニットの送信部側にアタッチメントの反射ユニットＨとしてコーナーユニット（以下コーナーユニットＨとする）を装着し、このコーナーユニットに赤外線を反射させて赤外線の角度を曲げるための反射板Ｂを取り付けている。
【００２２】
コーナーユニットは、図１に示すように、検知ユニットに取り付けられるアタッチメントとなるもので、コーナーボディＨ１とコーナーカバーＨ２及び天カバーＨ３とで外殻ケースが構成される。コーナーボディは、本体板部１１と、本体板部の上端部に設けられる半割れ状の機構ケーシング２ａと下端部に設けられる底板部１２とからなる。本体板部は、正面視縦長の略矩形状をした板状のもので、上下端部の送信部に対応する位置にそれぞれ赤外線が挿通される貫通窓１３が形成してある。コーナーカバーは、平面視略Ｕ字形をした曲面の板状のもので、前記コーナーボディの上下長さとほぼ同じ上下長さに形成してあり、コーナーボディとコーナーカバーの側端部同士が取り付けられて平面断面略Ｄ字形をしたコーナーユニットの外殻主体が構成される。コーナーカバーの上端部にはコーナーユニットの半割れ状の機構ケーシングに対応する半割れ状の機構ケーシング２ｂが設けてあるとともに、下端部には底板部（特に図示せず）が設けてあり、このコーナーカバーとコーナーボディの機構ケーシング及び底板部がコーナーユニット内の収容部の天蓋及び底となる。
【００２３】
機構ケーシングと底板部は、後述する反射板Ｂの上下端部を回動自在に支持、収容するもので、コーナーカバーとコーナーボディとに設けられる機構ケーシング及び底板部はそれぞれ半割れ状となっている。すなわち、コーナーカバーとコーナーボディとに設けられる半割れ状の機構ケーシング及び底板部は、互いに対向する端部が突き合わされて機構ケーシング及び底板部の全体が形成されてそれぞれコーナーユニットの天蓋及び底となるもので、底板部の突き合わせ端部には反射板Ｂの下端部が挿通される略半円状の切欠がそれぞれ形成してあり、突き合わされた状態で略円形状となる。
【００２４】
反射板Ｂは、図１に示すように、上記コーナーボディの本体板部より小さい本体板部Ｂ１と、該本体板部Ｂ１の上下端部に突設される上突出部Ｂ２及び下突出部Ｂ３とからなり、反射板Ｂの少なくとも一面には反射部が形成される。反射部は、反射板Ｂの表面に赤外線の減衰率が小さい高反射率の加工（例えばアルミ、銅等の蒸着、或いはメッー等）を施すことで形成しているが、反射板Ｂとは別構成の反射鏡を接合するものであってもよい。反射板Ｂの下突出部Ｂ３は、コーナーカバーとコーナーボディの底板部の略半円状の切欠が突き合わされて形成される略円形状の孔部を挿通して下方に挿通される。また、下突出部Ｂ３は下端部が前記孔部よりも大径の抜止め部となっている。このようにして反射板Ｂの下端部は回動自在となるようにコーナーユニットの外殻ケースの下端部に配設される。
【００２５】
次に、反射板Ｂの上端部の外殻ケースへの配設について説明する。外殻ケースの上端部には、図１、図６に示すように、操作軸３、軸受け４、表示板Ｉ、圧縮ばね５、ノッチ板６、ノッチ板受け７が配設される。これらは、コーナーカバーとコーナーボディの半割れ状の機構ケーシング２ａ，２ｂが突き合わされた機構ケーシング２に収容される。機構ケーシングには、軸受け取付部２１、表示板収容部２２、ノッチ板及びノッチ板受けを収容するノッチ収容部２３が形成されるもので、以下に説明する。
【００２６】
操作軸は、図７に示すように、軸受けに受けられて反射板Ｂを回転させるもので、本体軸部３１と、本体軸部の上端部に形成される操作摘まみ部３２とで主体が構成される。本体軸部は、略円柱状をしたもので、上端部の操作摘まみ部は本体軸部の径より大径に形成してある。また、本体軸部の外周面には、互いに反対側に（即ち断面略円形状をした本体軸部の中心角が１８０°となる両方の部分）に軸方向にキー溝３３が形成してあり、キー溝３３の底面の径は本体軸部の外周面より小径となっている。また、本体軸部の上端部外周面には、全周に亘ってキー逃げ部３４が形成してあり、このキー逃げ部３４の底面の径もキー溝３３の底面の径とほぼ同じに形成してある。また、本体軸部の下端面からは、反射板Ｂの上突出部Ｂ１が嵌入される嵌入孔３５が上方に向けて穿設してある。この嵌入孔は、断面形状が略六角形状に形成してあるとともに、反射板Ｂの上突出部Ｂ１が略六角形状に形成してあり、この上突出部Ｂ１がスライド自在に嵌入孔に嵌入されることで、操作軸からの回転力が反射板Ｂに伝達される。
【００２７】
軸受けは、コーナーカバーとコーナーボディの機構ケーシングに取り付けられて操作軸を受けるもので、まず機構ケーシングについて説明する。
【００２８】
機構ケーシングは、図６、図１に示すようにコーナーカバーとコーナーボディの上端部に形成されるもので、全体が大略箱状となるものである。コーナーボディ側の半割れ状の機構ケーシングは、その外殻ケースの内面側となる面から突出して突出端部が開口する箱状となるもので、コーナーカバー側の半割れ状の機構ケーシングは、平面視略Ｕ字形の内縁に沿って取り付けられてその略Ｕ字形の開口方向に向けて開口する略箱状をしたものである。これらの半割れ状の機構ケーシングはその開口端部が突き合わせ端部となっていて、開口端部を突き合わせた時に内部に上記機器が収容される収容部となる。略箱状の機構ケーシングはその側壁の上下方向の途中に内部に突出する断面略コ字状の屈曲部２４を設けて、屈曲部を境にして表示板収容部とノッチ収容部とに分け隔てている。更に、機構ケーシングの側壁の上端部に内部に突出する断面略コ字状の屈曲部２５を設けて、屈曲した部分を軸受け取付部としてある。また、この機構ケーシングは、平面視略中央部において上下に貫通している。すなわち、略箱状となる機構ケーシングの下端部に位置する板部材は、平面視において略中央部に略円形状の貫通孔が形成されるように各半割れ状の機構ケーシングの突き合わせ端部に平面視略半円形となる切欠が形成される。更に説明すると、軸受け取付部となる屈曲部は平面視略矩形状となるように形成してあり、また、表示板収容部とノッチ収容部とを分け隔てる屈曲部は平面視略円形状となるように各半割れ状の機構ケーシングの突き合わせ端部に平面視略半円形となる切欠が形成される。
【００２９】
軸受けは、図８に示すように、上記機構ケーシングの軸受けの取付部に取り付けられる。軸受け取付部となる屈曲部の突出頂部に内方に突出する凸部２６を設けてあり（図６参照）、一方、軸受けの外周に前記凸部が嵌入される凹部４１を形成してあって、前記凹部と凸部の嵌合によって軸受けがコーナーユニットの外殻ケースに固定される。この軸受けには、平面視円形状をした貫通孔４２が形成されると共に、この貫通孔の内面に雌ねじ部が形成してあり、この雌ねじ部に上述した操作軸の操作摘まみ部の雄ねじ部が螺合する。これにより、操作軸は外殻ケースに固定された軸受けに対して回転によって上下方向に移動することとなる。操作軸の本体軸部は軸受けよりも下方に突出し、軸受けより下方に配設される表示板ＩのキーＩ２に嵌合する。
【００３０】
表示板Ｉは、図９、図１０に示すように、平面視略円形状をした板状のもので、平面視において略中央部に操作軸が挿通される挿通孔Ｉ１が形成されると共に、該孔部の内端縁に上記操作軸の本体軸部のキー溝３１に嵌入されるキーＩ２が対向する位置に形成してある。この表示板Ｉは、機構ケーシングの表示板収容部に回転自在に収容される。すなわち、上下方向において屈曲部に挟まれる状態となって若干上下動可能に収容され、平面視においてはほぼがたつきなく（すなわち横方向への移動はなく）回転自在となるように収容される。そして、この表示板Ｉは下側に配設される後述する圧縮ばねによって上方に付勢されて（図１１参照）、軸受けの下面に押圧されている（図６参照）。
【００３１】
表示板Ｉに形成されるキーＩ２は、対向するキーＩ２の突出端部間の距離が上記操作軸の本体軸部の外周径よりも短く且つ、本体軸部に設けたキー溝３３及びキー逃げ部３４の径よりも大径（本実施形態では若干大径）に形成してある。また、キーＩ２の上下の厚み（即ち表示板Ｉの厚み）は上記操作軸のキー逃げ部３４の上下長さよりも短く形成してある。この表示板Ｉの動作については後述する。
【００３２】
次に、ノッチ板及びノッチ板受けについて説明する。ノッチ板は、図１２に示すように、平面視略円形状をした板状のもので、平面視において略中央部に操作軸の本体軸部が挿通される孔部６１が形成されると共に、該孔部の内端縁に上記操作軸の本体軸部のキー溝に嵌入されるキー６２が対向する位置に形成してある。このキーは、対向するキーの突出端部間の距離が上記操作軸の本体軸部の外周径よりも短く且つ、本体軸部に設けたキー溝及びキー逃げ部の径よりも大径（本実施形態では若干大径）に形成してある。このノッチ板の下面にはノッチとしての凹凸部６３が設けてあり（図１２においては一部の凹凸部６３のみ図示）、これについては後で詳述する。このノッチ板は、ノッチ板受けとともに機構ケーシングのノッチ収容部に回転自在に収容される。
【００３３】
ノッチ板受けは、図１に示すように、本実施形態では平面視略Ｕ字形の板状のもので、上面にノッチとしての突部が設けてあり、その内部が操作軸の本体軸部が挿通される挿通部となっている。このノッチ板受けは上述したようにノッチ板とともに機構ケーシングのノッチ収容部に収容されるのであるが、ノッチ収容部の下端部に固定される。更に詳述すると、ノッチ板受けは平面視略Ｕ字形をした外側端面をコーナーカバーの内面に固定することで該コーナーカバーの半割れ状の機構ケーシングのノッチ収容部の下端部に固定する。そして、ノッチ収容部の前記ノッチ板受けが収容された部分の上側にはノッチ板が収容されるが、この時ノッチ板は上下方向においてはノッチ収容部内で移動可能となるとともに平面視においてはほぼがたつきなく回転自在となるように収容される。そして、ノッチ板の上側には圧縮ばねがノッチ板と表示板Ｉとの間で圧接するように配設され、圧縮ばねによって表示板Ｉを上方に付勢するとともにノッチ板を下方に（即ちノッチ板受けの方に）付勢した状態となっている（図６、図１３参照）。
【００３４】
次に、上述した機器の動作について図６等に基づいて説明する。軸受けにはその貫通孔に操作軸の本体軸部が上方から下方へ向けて挿通され、貫通孔の雌ねじ部に操作軸の操作摘まみ部の雄ねじ部が螺合する。そして、操作摘まみ部を回転させることで操作軸が機構ケーシングに対して上下動する。操作軸の本体軸部は機構ケーシングの下方に突出した状態となり、本体軸部の下端部の嵌入部に反射板Ｂの上突出部Ｂ１が下方より上下スライド自在に嵌入される。また、反射板Ｂの下突出部Ｂ３は、コーナーカバーとコーナーボディからなる外殻ケースの底に形成される孔部に抜け止めされた状態で回転自在に挿通されるため、操作軸の回転に伴って反射板Ｂは上下方向に移動することなく回転する。
【００３５】
ノッチ板とノッチ板受けについては、後で更に詳述するが、ノッチ板の孔部に操作軸の本体軸部が挿通されると共に、前記孔部に形成されたキーが操作軸の本体軸部のキーに常に嵌り込んだ状態となり、操作軸とともにノッチ板が回転し、機構ケーシングに固定されたノッチ板受けのノッチとしての凹凸部とノッチ板のノッチとしての凹凸部とが段階的に噛合うこととなる。
【００３６】
表示板Ｉの動作について説明する。表示板Ｉは、その挿通孔Ｉ１に操作軸の本体軸部が挿通されるとともに、挿通孔Ｉ１に形成したキーが本体軸部のキー溝に嵌入した状態となるが、操作軸が下動した状態ではキーが本体軸部のキー逃げ部に位置する。すなわち、操作軸が軸受けとの螺合範囲の上端部近傍に位置する場合には、表示板Ｉのキーが本体軸部のキー溝に嵌入して操作軸が回転するとともに表示板Ｉが回転するが、操作軸が軸受けとの螺合範囲のうちの所定位置以下にまで下動すると、表示板Ｉのキーの本体軸部のキー溝への嵌入が解除されて本体軸部のキー逃げ部に位置することとなり、操作軸を回転しても表示板Ｉが回転せずに反射板Ｂのみが回転することとなる。
【００３７】
ここで、反射板Ｂの使用目的について更に詳述する。本実施形態の外構フェンス防犯装置のように、送信部から送信した赤外線を受信部にて受信するものにおいては、上述したように、コーナー部等において送信部からの赤外線の角度を受信部へ向けて曲げるのであるが、送信部の受信部に対する向きが僅かに変化しただけで受信部での赤外線の受信量が敏感に変化する。そのため、送信部の受信部に対する向きを微調整しながら受信量が最も大きくなる状態に設定するのが好ましい。しかし、送信部は支柱等に固定するものであり、送信部の向きを直接調整するのは困難であるため、赤外線の反射部を有する反射板Ｂによって送信部から送信される赤外線の送信向きを微調整して受信部での受信量が最も大きくなる状態に設定することとなる。そしてこの時、送信部及び受信部で赤外線の送受信を行いながら反射板Ｂを１回転若しくは所定角度回転してその間の最大受信量を計測・学習（記憶）し、次に、更に反射板Ｂを回転してその最大受信量となる角度（以下、最適角度という）に再び反射板Ｂを合わせるが、反射板Ｂを回転して最適角度とするにあたり、送信部及び受信部で赤外線の送受信を行いながら反射板Ｂを回転して受信部での受信量が既に学習した最大受信量となった時に報知手段にて報知し、反射板Ｂを報知を受けた時点で回転を止めることで反射板Ｂを前記最適角度に設定することができるものである。
【００３８】
赤外線の最大受信量を計測・学習するために操作軸の操作摘まみ部を回転して反射板Ｂを回転し、所定角度回転したところで赤外線の最大受信量を計測・学習を終了するが、本実施形態においてはこの赤外線の最大受信量の計測・学習の終了となる操作軸の回転角度が上述したように表示板Ｉのキーの本体軸部のキー溝への嵌入が解除される状態となるように設定する。そして、赤外線の最大受信量の計測・学習の終了となる状態から赤外線の最大受信量を計測・学習するために回転するための所定角度逆回転した状態ところ（すなわち操作軸が上動する方向に操作摘まみ部を前記所定角度回転したところ）を赤外線の最大受信量の計測・学習の開始点とする。
【００３９】
赤外線の最大受信量の計測・学習の開始点から終了点となるまで反射板Ｂを所定角度回転することで、この反射板Ｂから反射された赤外線の進行方向を所定の角度領域に振り向けることができる。本実施形態では、図１４に示すように、赤外線が振り向けられる角度領域αを赤外線の入射方向との為す角度が３０°以上となる略３００°の領域とする。
【００４０】
そして本実施形態では、図９に示すように、表示板Ｉの上面に中心角が略３００°の領域を赤色に着色して最大受信量の計測・学習領域（以下単に学習領域Ｉ３とする）とし、その他の略６０°の領域を青色に着色して最大受信量の計測・学習の終了領域（以下単に終了領域Ｉ４とする）とする。表示板Ｉは、上述したように機構ケーシングの表示板収容部に収容されるが、図１６に示すようにこの表示板収容部の上側の部分を貫通して表示窓１４を形成してあり、コーナーユニットの天カバーを取った状態で上方から表示板Ｉの一部が見える。
【００４１】
操作軸は、予め上述した赤外線の最大受信量の計測・学習のための角度領域の開始端（すなわち赤外線が図１４に示すα１に向けて反射される位置）に赤外線が反射されるように位置し、この時、表示板Ｉの学習領域の開始端が表示窓から表示されるようにするが、これは、表示板Ｉの学習領域及び終了領域とキーの位置関係を予め調整することで行う。そして、この時の表示板Ｉの軸受けに対する回転角度が保たれるように表示板Ｉの上面及び軸受けの下面に嵌合部を設けてある。本実施形態では嵌合部として図１５、図１、図９に示すように、表示板Ｉの上面に凸部Ｉ５を設けると共に、図１５、図８に示すように軸受けの下面に開始側凹部４３を設け、前記のように表示板Ｉの学習領域の開始端が表示窓から表示された状態でこの凸部と開始側凹部とが凹凸結合する。
【００４２】
そして、操作軸は赤外線の最大受信量の計測・学習の終了となる回転角度（すなわち赤外線が図１４に示すα２に向けて反射される角度）まで表示板Ｉと一体的に回転し、表示板Ｉのキーと操作軸のキー溝との嵌合が解除されるが、この角度においても表示板Ｉが該角度を保たれるように表示板Ｉの上面及び軸受けの下面にそれぞれ凹部と凸部のいずれか一方及び他方を設けてあり、本実施形態では軸受けの下面に前記表示板Ｉの上面の凸部と凹凸結合する終了側凹部４４が設けてある（図１５、図８参照）。
【００４３】
次に、反射板Ｂの角度調整を行なう手順の一例を説明する。検知ユニットには、警戒時のための報知灯が設置されているが、本例では、この報知灯を反射板Ｂの角度調整時の最大受信量の赤外線の受信を報知する報知手段として使用するとともに、ブザー等の音によるガイドも併用する。
【００４４】
まず、送信部Ｓ及び受信部Ｊ（すなわち検知ユニットＫ）とコーナーユニットＨを外構フェンスの所定位置に配置する。次に、赤外線の最大受信量の計測・学習を行うため、初めに電源を投入するとともに、検知ユニットＫを作動させ、操作摘まみ部３２を回転させる。表示板Ｉはその上面の凸部Ｉ５が軸受け４の下面の開始側凹部４３と嵌合しているが、操作摘まみ部３２を回転させると圧縮ばね５の付勢力に抗って凸部Ｉ５と開始側凹部４３との嵌合が解除し、回転が開始される。そして、赤外線Ａが反射板Ｂによって図８に示すα１の開始角度からα２の終了角度まで振り向けられるように反射板Ｂを回転し、この時の受信部Ｊにおける赤外線の受信量を連続計測してその最大受信量を学習手段に学習させる。この間、コーナーユニットＨの表示窓１４には、表示板Ｉの学習領域Ｉ３が表示されており、終了角度α２となって終了するとともに表示板Ｉの学習領域Ｉ３の終了端部が表示窓１４から表示される。なお、本実施形態では、図９に示すように、赤色の学習領域Ｉ３が見えるだけでなく、表示板Ｉの学習領域Ｉ３の開始端部から終了端部に亘って作業者に理解できるように文字（本実施形態では「ゆっくりまわしてください」の文字）が順に見えるようになっており、「ゆっくりまわしてください」の最後の文字「い」が見えると赤外線の最大受信量の計測・学習が終わったことがわかる。
【００４５】
赤外線の最大受信量の計測・学習が終了すると、表示板のキーと操作軸のキー溝との係合が外れてキーがキー逃げ部に位置し、表示板は操作軸から回転力を受けなくなって停止する。この時、表示板Ｉはその凸部Ｉ５と軸受けの下面の終了側凹部４４とが嵌合して表示板Ｉの静止が確実に行われる。
【００４６】
次に、計測・学習した赤外線の最大受信量を反射する角度に反射板Ｂを設定するのであるが、これは、操作摘まみ部３２を赤外線の最大受信量の計測・学習が終了した時点から更に回転していくと、受信部Ｊにて受信される受信量が計測・学習した赤外線の最大受信量となった時に報知手段によって報知されるため、その報知が行われた時点での反射板Ｂの角度に反射板Ｂを固定することで設定が完了する。これにあたっては、図１７に示すように、反射板Ｂを回転させて赤外線を受信部Ｊの近傍に向けて反射させると、例えば図１８に示すように、現在計測している赤外線の受信量が学習した赤外線の最大受信量との差が所定量以上の場合には、報知手段としてのＬＥＤガイドが長間隔で点滅すると共に、音ガイドによる発信音が長間隔で発せられ、赤外線の最大受信量との差が前記所定量よりも小さい場合には、報知手段としてのＬＥＤガイドが短間隔で点滅すると共に、音ガイドによる発信音が短長間隔で発せられ、赤外線の最大受信量とほぼ一致した場合には、報知手段としてのＬＥＤガイドが点灯すると共に、音ガイドによる発信音が連続音となる。また、現在計測している赤外線の受信量が学習した赤外線の最大受信量との差が大きい場合には、報知手段としてのＬＥＤガイドが点灯しないとともに音ガイドによる発信音が発せられない。これにより、作業者は容易に上記反射板Ｂの設定を行うことができる。
【００４７】
次に、ノッチ板及びノッチ板受けについて図１９乃至図２１に基づいて詳述する。ノッチ板の下面及びノッチ板受けの上面には、互いに噛み合うノッチがそれぞれ形成してある。ノッチ板の下面には、ノッチとして平面視における中心部から放射状に山型の凹凸部が角度にして二度毎に形成される。そして、ノッチ板受けの上面には、ノッチとしてノッチ板の山型の凹凸部の谷部（凹部）に嵌まり込む凸部が平面視における中心部を中心とする円周上に角度にして二度毎に形成される。このノッチ板及びノッチ板受けは、ノッチ板の上側に配設した圧縮ばねによって互いに圧接されるように付勢されて、ノッチとしての各凸部がいずれかの凹凸部の谷部に嵌まり込んだ状態となる。すなわち、ノッチ板はノッチ板受けに対して二度を最小単位として段階的に回転した状態で圧接されて静止する。これにより、ノッチ板は反射板Ｂと一体的に回転するとともに、ノッチ板受けはコーナーユニットの外殻ケースに固定されるため、反射板Ｂがコーナーユニットの外殻ケースに対して二度を最小単位として段階的に角度を為すこととなり、また、反射板Ｂを回転させる際にノッチとしての凸部が凹凸部の凸部分を越える時に「カチカチ」といったノッチ感が得られるようになる。
【００４８】
なお、ノッチ板受けの上面のノッチとしての凸部を同一円周上に二度毎に形成するにはスペースに余裕がないため、隣接する凸部が異なる半径の円周上に位置するように配置すると凸部の形成がし易くなる。本実施形態では、半径の異なる三種類の円周を仮想し、隣接する凸部を順に、最小半径の円周上、中間の半径の円周上、最大半径の円周上、最小半径の円周上、・・（以下、繰り返し）・・と割り振って形成している。
【図面の簡単な説明】
【００４９】
【図１】本発明の一実施形態の反射ユニット（コーナーユニット）の分解斜視図である。
【図２】同上の実施形態の防犯エリアの一例を説明する斜視図である。
【図３】同上の防犯エリアを示し、（ａ）は全体平面図でであり（ｂ）は一部拡大平面図である。
【図４】同上の検知ユニットの斜視図である。
【図５】同上の反射ユニットを設けた検知ユニットに斜視図である。
【図６】同上の反射ユニットの上部分解斜視図である。
【図７】操作軸の斜視図である。
【図８】軸受けに螺合した操作軸の下から見た斜視図である。
【図９】表示板の平面図である。
【図１０】軸受けに螺合した操作軸の上から見た斜視図である。
【図１１】軸受け、操作軸、表示板、圧縮ばねの下から見た斜視図である。
【図１２】ノッチ板の下面図である。
【図１３】軸受け、操作軸、表示板、圧縮ばね、ノッチ板、ノッチ板受けの下から見た斜視図である。
【図１４】反射板による赤外線の角度領域を説明する平面図である。
【図１５】軸受け及び表示板の嵌合部を示し、（ａ）は軸受けの下面図であり、（ｂ）は表示板の上面図である。
【図１６】天カバーを外した状態の反射ユニットの上から見た斜視図である。
【図１７】反射板の角度設定を説明する平面図である。
【図１８】反射板の角度設定時の報知手段による報知の説明図である。
【図１９】ノッチ板及びノッチ板受けの側面図である。
【図２０】ノッチ板の従来の平面図である。
【図２１】ノッチ板の平面図である。
【符号の説明】
【００５０】
Ａ  赤外線
Ｂ  反射板
Ｈ  反射ユニット
Ｉ  表示部
Ｊ  受信部
Ｓ  送信部
【図１】
2005141595.tif 000003
【図２】
2005141595.tif 000004
【図３】
2005141595.tif 000005
【図４】
2005141595.tif 000006
【図５】
2005141595.tif 000007
【図６】
2005141595.tif 000008
【図７】
2005141595.tif 000009
【図８】
2005141595.tif 000010
【図９】
2005141595.tif 000011
【図１０】
2005141595.tif 000012
【図１１】
2005141595.tif 000013
【図１２】
2005141595.tif 000014
【図１３】
2005141595.tif 000015
【図１４】
2005141595.tif 000016
【図１５】
2005141595.tif 000017
【図１６】
2005141595.tif 000018
【図１７】
2005141595.tif 000019
【図１８】
2005141595.tif 000020
【図１９】
2005141595.tif 000021
【図２０】
2005141595.tif 000022
【図２１】
2005141595.tif 000023